【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
流体の流れ制御システムであって、
流体を加熱するための加熱装置と、
前記加熱装置から使用領域へ加熱された前記流体を提供する第１の流路と、
流体供給から流体を受け取るよう適合された供給路および前記使用領域から流体を受け取るように適合された排出路を有する熱交換器であって、それにより、前記供給路における前記流体が前記排出路における前記流体によって予備加熱される熱交換器と、
前記熱交換器の前記供給路から前記加熱装置へ前記予備加熱された流体を提供する第２の流路と、
前記排出路に沿った流体の流れを制御するための第１の流れ調節装置と、
前記供給路に沿って予備加熱された流体の流れを制御するための第２の流れ調節装置と、
を含み、
使用中、前記熱交換器の前記流体供給路および排出路における前記流速に対する／における流体流速もしくは変化は、実質的に比例して相関するよう、前記第１および第２の流れ調節装置のそれぞれを制御するよう適合される流れ制御装置をさらに含む、
システム。
【請求項２】
前記供給路から前記使用領域へ予備加熱された流体を提供するためのバイパス流路であって、前記バイパス流路は、前記加熱装置の前記第２の流路の上流および前記加熱装置の前記第１の流路の下流間に連結されている、バイパス流路と、
前記バイパス路内の流体の流れを制御するためのバイパス流れ調節装置と、
をさらに含む、請求項１に記載の流体の流れ制御システム。
【請求項３】
前記流れ制御装置が、前記バイパス路における流速が、前記第１および／もしくは第２の流路における流速の関数であるよう、前記バイパス流れ調節装置を制御するようさらに適合される、請求項２に記載の流体の流れ制御システム。
【請求項４】
前記第１、第２、バイパスの流れ調節装置のそれぞれが、流体の流れが妨げられる閉じた位置および完全に開いた位置間で可変的な程度の流体の流れを提供することができる、請求項３に記載の流体の流れ制御システム。
【請求項５】
前記制御装置が、前記バイパスの流れ調節装置の作動に比例して前記第１および第２の流れ調節装置を作動させるように動作する、請求項４に記載の流体の流れ制御システム。
【請求項６】
前記制御装置が、実質的に独立する前記流体の流速の前記使用領域における前記流体の温度の制御を可能とするよう、前記バイパスの流れ調節装置の作動に反比例して前記第１および第２の流れ調節装置を作動させるように動作する、請求項４に記載の流体の流れ制御システム。
【請求項７】
前記流れ制御装置が、前記調節装置を制御するための共通の作動装置を含む、請求項１に記載の流体の流れ制御システム。
【請求項８】
前記流れ制御装置が、前記調節装置間で１つ以上の機械的、水圧的、もしくは電気的連結を含む、請求項１に記載の流体の流れ制御システム。
【請求項９】
流体圧力調節システムをさらに含み、前記流体圧力調節システムが、
前記第２の流路もしくは前記供給路のいずれかに配置される流体圧力調節装置と、
前記流体圧力調節装置を制御するための共通の機構を作動させるよう連結された前記第１および第２の流れ調節装置の上流および下流側との圧力伝導における圧力感知面領域と、さらに
前記第１の流路における流体の流れに関して前記第２の流路の流体の流れを制御するよう、前記圧力感知表面またはそれにおける流体圧力の変位に従って、前記流体圧力調節装置を制御するための使用に適合された圧力制御システムと、
を含む、請求項１に記載の流体の流れ制御システム。
【請求項１０】
任意の流れ調整装置が電気的に作動し、前記システムが、１つ以上の温度センサーをさらに含み、前記システムが、前記温度センサーからの前記情報を使用する前記調節装置を制御するためのユーザーインターフェースをさらに含む、請求項１に記載の流体の流れ制御システム。
【請求項１１】
前記使用領域が、シャワー設備を含む、請求項１に記載の流体の流れ制御システム。
【請求項１２】
流体の圧力制御システムであって、
流体供給に連結可能な流体圧力調節装置と、
流体の流れに対する制御可能な抵抗をそれぞれ有する、第１の流れ調節装置および第２の流れ調節装置と、
共通の第１の変位可能なセパレータを有し、前記第１の変位可能なセパレータの変位が第１の副室のそれぞれの前記相対的な内部容量を決定する、第１の上流の副室および第１の下流の副室であって、前記第１の流れ調節装置の上流側は、前記第１の上流の副室と圧力伝達するように配置され、前記第１の流れ調節装置の下流側は、前記第１の下流の副室と圧力伝達するように配置される、第１の上流の副室および第１の下流の副室と、
共通の第２の変位可能なセパレータを有し、前記第２の変位可能なセパレータの変位が、第２の各副室の相対的な内部容量を決定する、第２の上流の副室および第２の下流の副室であって、前記第２の流れ調節装置の上流側は、前記第２の上流の副室と圧力伝達するように配置され、前記第２の流動調節装置の下流側は、前記第２の下流の副室と圧力伝達するように配置され、前記第２の流れ調節装置の上流側は、前記流体圧力調節装置から流体を受け取るよう配置されており、前記第１および第２のセパレータが機械的に連結される、第２の上流の副室および第２の下流の副室と、
前記副室に関する前記第１および第２のセパレータの位置に従って、前記流体圧力調節装置を制御するための使用に適合された圧力制御システムと、
を含む、流体の圧力制御システム。
【請求項１３】
前記副室のそれぞれが、幾何学的にプリズム状もしくはシリンダー状であり、前記変位可能なセパレータが、それらのそれぞれの副室内にて、液密の方法で摺動可能なピストンヘッドである、請求項１２に記載の流体の圧力制御システム。
【請求項１４】
１つ以上の前記副室との流体伝達を可能にする１つ以上の開口部が、前記対応するピストンヘッドが、あらかじめ決められた位置にある場合、阻害されるよう提供される、請求項１２に記載の流体の圧力制御システム。
【請求項１５】
前記圧力制御システムが、前記セパレータに結合され、水圧的に前記流体圧力調節装置を作動させるよう配置されたスプールバルブを含む、請求項１２に記載の流体の圧力制御システム。
【請求項１６】
変位が可能な範囲の各端間の中間である位置に前記変位可能なセパレータを付勢するよう配置される１つ以上の弾性部材をさらに含む、請求項１２に記載の流体の圧力制御システム。
【請求項１７】
前記セパレータの変位における振動を阻害または減衰させるよう１つ以上の前記セパレータに結合された変位ダンパーをさらに含む、請求項１２に記載の流体の圧力制御システム。
【請求項１８】
前記セパレータの変位が、共通の方向に沿っているように配置される、請求項１２に記載の流体の圧力制御システム。
【請求項１９】
前記セパレータが、ピストンとして提供される場合、１つ以上の導管が、そこを通る流体の流れを可能にするようピストン内に提供される、請求項１２に記載の流体の圧力制御システム。
【請求項２０】
前記第１および第２のセパレータの位置が、使用時に、前記第１および第２の上流および下流の副室内の相対圧力の関数である、請求項１２に記載の流体の圧力制御システム。
【請求項２１】
前記第１および第２のセパレータの機械的な結合が、前記各セパレータが、使用時に、連係した変位を発生するようにされる、請求項１２に記載の流体の圧力制御システム。
【請求項２２】
前記第１および第２の流れ調節装置が、機械的、水圧的、もしくは電気的に作動される、請求項１２に記載の流体の圧力制御システム。
【請求項２３】
前記第１および第２の流れ調節装置は、そこを通る流体の流れの前記経路のため、および関連する導管との連結のための少なくとも２つの入口および少なくとも２つの排出口を有するユニット内に組み込まれる、請求項１２にて請求される流体の圧力制御システム。